(57)【要約】【課題】スライドレバーの移動ストロークが相対的に短く、音階の切り換えが相対的に短時間で済み、演奏の円滑性を阻害しないクロス配列のクロマチックハーモニカを提供する。【解決手段】第１のスライドレバー３を笛室１ａ、１ｂの横方向配列の半ピッチに相当する距離だけ本体１に対して左方へ移動操作すると、伝動部材６を介して、第２のスライドレバー４が右方へ等距離移動し、それにより、２つのスライドレバー３，４が相対的に、笛室１ａ、１ｂの横方向配列の１ピッチに相当する距離移動して、長音階、半音階の切換が行われる。【選択図】図１
0003196940.tif 000002
【実用新案登録請求の範囲】
【請求項１】
横方向所定のピッチで上下２列に配置され、それぞれ所定の音高のリードを具備し、吹き穴により前方に開放する複数の笛室を備える本体と、
前記本体の前面側に配置され、それぞれ上下に並ぶ各２つの前記吹き穴に連通するように横方向所定のピッチで１列に配置される複数の吹き口を有するマウスピースと、
前記本体とマウスピースとの間において本体の前面に沿って右方の第１位置と、当該第１位置から左方へ前記笛室の配列の半ピッチ相当距離ずれた第２位置の間を横方向に摺動操作可能に配置され、所定の前記笛室と前記吹き口との間を選択的に開通させるように、横方向に並ぶ上下２列の複数の通気用開口を有する第１の平板状のスライドレバーと、
前記本体とマウスピースとの間において前記第１のスライドレバーに重なり、本体の前面に沿って左方の第１位置と、当該第１位置から右方へ前記笛室の配列の半ピッチ相当距離ずれた第２位置の間を横方向に摺動操作可能に配置され、所定の前記吹き穴と前記吹き口との間を選択的に開閉させるように、横方向に並ぶ上下２列の複数の通気用開口及び複数の遮断用閉鎖部を有する第２の平板状のスライドレバーと、
前記第１，第２のスライドレバー間に位置して前記本体上に設けられ、両スライドレバーを相互に左右逆方向へ等距離移動させるように連結する伝動部材と、
前記第１及び第２のスライドレバーをそれぞれ第１位置に付勢するばねと、を具備し、
前記本体の笛室は、横方向に千鳥状に配列される複数の長音階用笛室と、これと反対の千鳥状に配列される複数の半音階用笛室とからなり、
前記第１及び第２のスライドレバーの開口は、第１位置において前記長音階用笛室の吹き穴と中心を一致させるように配列される複数の長音階用開口と、第２位置において半音階用笛室の吹き穴と中心を一致させるように配列される複数の半音階用開口とで構成され、
前記第１及び第２のスライドレバーの閉鎖部は、互いに第１位置にあるときに他方のスライドレバーの半音階用開口を塞ぎ、第２位置にあるときに他方のスライドレバーの長音階用開口を塞ぐように構成され、
それによって、前記笛室の横方向配列の半ピッチに相当する距離だけ前記本体に対して前記第１のスライドレバーを左方へ移動操作することにより、第２のスライドレバーに対して笛室の横方向配列の１ピッチに相当する距離相対的移動させ長音階、半音階の切換を可能としたハーモニカにおいて、
前記本体１の前面側には、前記第１及び第２のスライドレバーの重合厚さ寸法に対応する深さの横方向に延びる受け溝が形成され、
前記第１及び第２のスライドレバーは、それぞれ前記本体の受け溝内に横方向に相対摺動自在に互いに重合して嵌め込まれ、
前記マウスピースは、後面が平面に形成され、前記本体の受け溝の上下縁部の前面及び前記第１のスライドレバーの前面に接するように本体に固着されることを特徴とするダブルスライドレバー型クロマチックハーモニカ。
【請求項２】
前記第１のライドレバーは、左端側の下縁部が左方へ延出してなる連結部を具備し、当該連結部の上縁部には概略円弧状の切欠部が形成され、
前記第２のスライドレバーは、左端側の上縁部が左方へ延出してなる連結部を具備し、当該連結部は前記第１のスライドレバーの連結部と相互間隔を置いて上下に相対向し、かつ当該連結部の下縁部には概略円弧状の切欠部が形成され、
前記伝動部材は、前記本体の受け溝内において前記第１及び第２のスライドレバーの連結部間に配置され、かつ連結部の切欠部に相対回転自在に嵌合する円形嵌合部を両端に具備し、所定角度の正逆回転により、第１及び第２のスライドレバーを相互に左右逆方向へ等距離移動させるように設けられることを特徴とする請求項１に記載のダブルスライドレバー型クロマチックハーモニカ。
【考案の詳細な説明】
【技術分野】
【０００１】
この考案は、スライドレバーを移動させることにより、長音階と、これより半音高い半音階の２種の音階を発音できるようにしたスライドレバー型のクロマチックハーモニカに関する。
【背景技術】
【０００２】
クロマチックハーモニカは、本体とマウスピースとの間に、スライドレバーを備えている。本体には、発音体であるリードを有する多数の笛室があり、各笛室に対して空気を吹き吸いする多数の吹き穴が左右（横）方向に並んで上下に２列設けられる。1列の笛室は長音階の音配列、他の1列の笛室は半音階の音配列となっている（この笛室の配列は「ストレート配列」と称される。）。スライドレバーには、笛室の吹き穴を開く開口と、これを閉じる閉鎖部とが交互に並んで上下２列設けられる。スライドレバーの開口は、笛室の吹き穴と１対１で対応しているので、両者の数は同数である。このスライドレバーを横方向に移動させることにより、長音階の笛室列又は半音階の笛室列のいずれかを閉じて、選択的にいずれかの音階の音を発音することができるようになっている（例えば特許文献１）。なお、ここで、上・下、左・右、前・後とは、ハーモニカの演奏状態において演奏者から見た上下左右前後をいう。
また、２列の笛室に長音階の音と半音階の音を交互に割り当て、各音階の音を横方向に千鳥状に配したクロマチックハーモニカがある（この笛室の配列は「クロス配列」と称される。）。この形式のハーモニカにおけるスライドレバーは、１つの開口と閉鎖部とを２つの笛室に共通に対応させるため、開口の数が笛室の数のほぼ半分の数である。
【先行技術文献】
【特許文献】
【０００３】
【特許文献１】特開２００４−２１９７３２号
【考案の概要】
【考案が解決しようとする課題】
【０００４】
上記従来のクロマチックハーモニカのうち、前者、すなわちストレート配列のハーモニカにおいて、スライドレバーの開口は、通気口として使われないとき、相隣接する笛室の吹き穴の間に配置される。したがって、開口の横幅は、隣接する吹き穴間の間隔と同等以下でなくてはならない。このため、スライドレバーの開口の大きさは、笛室の吹き穴の大きさの半分程度に制限される。
後者、すなわちクロス配列のハーモニカにおいては、スライドレバーの開口が常に使用され、隣接吹き穴間に待機する必要がない。このため、スライドレバーの開口の大きさは、笛室の吹き穴の大きさと同等程度まで拡大することができる。スライドレバーの開口が大きくなれば、笛室に吹き込まれる空気量が増大し、大きな音量が得られる。しかし、スライドレバーの移動ストロークが長くなるので、音階の切り換えに時間がかかり、演奏上の不都合を生じる。
したがって、この出願に係る考案は、スライドレバーの移動ストロークが相対的に短く、音階の切り換えが相対的に短時間で済み、演奏の円滑性を阻害しないクロス配列のクロマチックハーモニカを提供することを目的としている。
【課題を解決するための手段】
【０００５】
以下、添付図面の符号を参照して説明するが、本考案はこれに限定されるものではない。
上記課題を解決するための、この出願に係る考案のクロマチックハーモニカは、複数の笛室１ａ、１ｂを備える本体１と、本体１の前面側に配置され複数の吹き口２ａを備えるマウスピース２と、本体１とマウスピース２との間に移動操作可能に設けられる２枚の平板状のスライドレバー３，４とを具備する。スライドレバー３，４は、複数の通気用開口３ａ・３ｂ、４ａ・４ｂと遮断用閉鎖部３ｃ、４ｃを備える。
本体１の笛室１ａ、１ｂは、横方向所定のピッチで上下２列に配置され、それぞれ所定の音高の吹き吸い２つのリード９を内蔵する。笛室１ａ、１ｂは、吹き穴１ｃにより本体１の前方に開放する。本体１の前面側には、スライドレバー３，４を横方向に摺動自在に保持するための、横方向に延びる受け溝１ｄが形成される。受け溝１ｄの深さ、すなわち受け溝１ｄの上下縁１ｅの前面から溝底１ｆまでの寸法は、スライドレバー３，４を重合した厚さ寸法に等しく形成される。
マウスピース２は、本体１の前面側に配置され、横方向所定のピッチで１列に配置される複数の吹き口２ａを有する。吹き口２ａは、それぞれ上下に並ぶ各２つの吹き穴１ａ、１ｂに同時に連通するように構成される。マウスピース２は、後面２ｂが平面であり、上下の縁部が、本体１の上下縁１ｅの前面に当接するようにねじ５，１１で本体１に固着される。
第１のスライドレバー３は、本体１の受け溝１ｄ内に、これに沿って、右方の第１位置と、当該第１位置から左方へ笛室１ａ、１ｂの配列の半ピッチ相当距離ずれた第２位置の間を横方向に摺動操作可能に挿入される。通気用の開口３ａ、３ｂと遮断用の閉鎖部３ｃとは、スライドレバー３の移動により、所定の笛室１ａ、１ｂと吹き口２ａとの間を選択的に開通させるように、横方向に並んで上下２列に配列される。
第２のスライドレバー４は、第１のスライドレバー３の後ろに相対摺動自在に重なって本体１の受け溝１ｄ内に挿入される。スライドレバー４は、受け溝１ｄに沿って、左方の第１位置と、当該第１位置から右方へ笛室１ａ、１ｂの配列の半ピッチ相当距離ずれた第２位置の間を横方向に摺動操作可能である。通気用の開口４ａ、４ｂと遮断用の閉鎖部４ｃとは、スライドレバー４の移動により、所定の笛室１ａ、１ｂと吹き口２ａとの間を選択的に開通させるように、横方向に並んで上下２列に配列される。
本体１上には、第１，第２のスライドレバー３，４間に位置して、両スライドレバー３，４を相互に左右逆方向へ等距離移動させるように連結する伝動部材６が設けられる。第１及び第２のスライドレバー３，４は、ばね７により、それぞれ第１位置に付勢される。
本体１の笛室は、横方向に千鳥状に配列される複数の長音階用笛室１ａと、これと反対の千鳥状に配列される複数の半音階用笛室１ｂとからなる。
第１及び第２のスライドレバー３，４の長音階用開口３ａ、４ａは、第１位置において長音階用笛室１ａの吹き穴１ｃと中心を一致させるように配列され、半音階用開口３ｂ、４ｂは、第２位置において半音階用笛室１ｂの吹き穴１ｃと中心を一致させるように配列される。第１及び第２のスライドレバー３，４の閉鎖部３ｃ、４ｃは、第１位置にあるときに、他方のスライドレバー４，３の半音階用開口３ｂ、４ｂを塞ぎ、第２位置にあるときに他方のスライドレバー４，３の長音階用開口３ａ、４ａを塞ぐように構成される。
第１のスライドレバー３を笛室の横方向配列の半ピッチに相当する距離だけ本体１に対して左方へ移動操作することにより、第２のスライドレバー４を右方へ等距離移動させ、それにより２つのスライドレバー３，４を相対的に、笛室の横方向配列の１ピッチに相当する距離移動させ、長音階、半音階の切換を可能とした。
【考案の効果】
【０００６】
この出願に係る考案のクロマチックハーモニカによれば、第１のスライドレバー３を笛室の横方向配列の半ピッチに相当する距離だけ本体１に対して左方へ移動操作することにより、長音階、半音階の切換が可能となる。これにより、スライドレバー３，４の開口３ａ、３ｂの幅寸法を大きくしても、音階の切り換えが相対的に短時間で済み、演奏の円滑性を阻害することなく、笛室１ａ、１ｂへ吹き込まれる空気量の増大を図ることができる。
【図面の簡単な説明】
【０００７】
【図１】本考案の実施形態に係るハーモニカの分解斜視図である。
【図２】（Ａ）は図１のハーモニカの長音階選択時の正面図、（Ｂ）は図１のハーモニカの本体の正面図、（Ｃ）は図１のハーモニカのマウスピースを除去した状態の正面図である。
【図３】（Ａ）は図１のハーモニカの半音階選択時のマウスピースを除去した状態の正面図、（Ｂ）は図１のハーモニカの半音階選択時の正面図である。
【図４】図１のハーモニカの長音階選択時のスライドレバーと本体の関係を示す正面図であり、（Ａ）は第１のスライドレバーと本体、（Ｂ）は第１のスライドレバーと本体を示す。
【図５】図１のハーモニカの半音階選択時のスライドレバーと本体の関係を示す正面図であり、（Ａ）は第１のスライドレバーと本体、（Ｂ）は第１のスライドレバーと本体を示す。
【図６】図１のハーモニカの長音階選択時の横断面図である。
【図７】図６におけるVII−VII断面図である。
【考案を実施するための形態】
【０００８】
図面を参照してこの考案の実施の形態を説明する。
図１において、クロマチックハーモニカは、複数の笛室１ａ、１ｂを備える本体１と、本体１の前面側に配置され、複数の吹き口２ａを備えるマウスピース２と、本体１とマウスピース２との間に移動操作可能に設けられ、それぞれ複数の通気用開口３ａ・３ｂ、４ａ・４ｂと、遮断用閉鎖部３ｃ、４ｃを備える２枚の平板状のスライドレバー３，４（図４，５）と、本体１の上下両側面を被覆するカバー８とを具備する。
【０００９】
図２，４，６において、ハーモニカの長音階用笛室１ａが開口３ａ、４ａを介してマウスピース２の吹き口２ａに連通しており、長音階の音を発音することができる。図３，５において、半音階用笛室１ｂが開口３ｂ、４ｂを介してマウスピース２の吹き口２ａに連通しており、半音階の音を発音することができる。なお、図において、開通している笛室１ａ又は笛室１ｂの部分に斜線を付して区別を明らかにした。
図１，２，６，７において、本体１の笛室１ａ、１ｂは、横方向に所定のピッチで上下２列に配置され、それぞれ所定の音高の吹き発音及び吸い発音の２つのリード９を内蔵する。リード９は、笛室１の上下の側壁を構成するリードプレート１０の通気窓上に取り付けられる。笛室１は、吹き穴１ｃにより本体１の前方に開放する。笛室１ａには、長音階の音を発するリード９が装着され、笛室１ｂには、半音階の音を発するリード９が装着される。笛室１ａは、横方向に千鳥状に配列され、笛室１ｂはこれと反対の千鳥状に配列される。本体１の前面側には、スライドレバー３，４を横方向に摺動自在に保持するための、横方向に延びる受け溝１ｄが形成される。受け溝１ｄの深さ、すなわち上下縁１ｅの前面から溝底１ｆまでの寸法は、スライドレバー３，４を重合した厚さ寸法に等しく形成される。
【００１０】
図１，２，６において、マウスピース２は、本体１の前面側に配置され、横方向所定のピッチで１列に配置される複数の吹き口２ａを有する。吹き口２ａは、それぞれ上下に並ぶ各２つの吹き穴１ａ、１ｂに同時に連通するように仕切られている。マウスピース２は、後面２ｂが平面であり、後面２ｂが第１のスライドレバー３の前面に摺動自在に当接し、かつ後面２ｂの上下の縁部が、本体１の上下縁１ｅの前面に当接するようにねじ５，１１で本体１に固着される。マウスピース２を本体１へ装着する際には、スライドレバー３，４が重ねて受け溝１ｄ内に保持されているから、上下にずれ動くことがなく、容易に位置決めできる。
【００１１】
図４，５において、第１のスライドレバー３は、本体１の受け溝１ｄ内に嵌合する長方形平板状の概略全体形状であり、受け溝１ｄに沿って、右方の第１位置（図２，４，７（Ａ））と、当該第１位置から左方へ笛室１ａ、１ｂの配列の半ピッチ相当距離移動した第２位置（図５，６，８（Ａ））の間を横方向に摺動操作可能に受け溝１ｄ内に挿入される。スライドレバー３は、右端側に突出する操作部３ｅを有し、この操作部３ｅを指で押すことにより左方へ移動する。
【００１２】
通気用の開口３ａ・３ｂと遮断用の閉鎖部３ｃとは、スライドレバー３の移動により、所定の笛室１ａ、１ｂと吹き口２ａとの間を選択的に開通させるように、横方向に並んで上下２列に配列される。スライドレバー３は、右端側中央部に長孔３ｄを有し、これが本体１に螺合されるねじ５に相対移動自在に係合している。スライドレバー３は、長孔３ｄの範囲で、本体１に対して左右に移動可能である。この移動範囲は、笛室１ａ、１ｂの半ピッチに相当する。スライドレバー３は、左端側の下縁部が左方へ延出してなる連結部３ｇを具備する。連結部３ｇの上縁部には、概略円弧状の切欠部３ｈが形成される。３ｆは、スライドレバー３を第１位置に付勢するためのばね７の係止孔である。
【００１３】
開口３ａは、スライドレバー３が第１位置（図２，４，７（Ａ））にあるときに、長音階用笛室１ａの吹き穴１ｃと中心を一致させる（吹き穴１ｃを開く）ように配列される長音階用開口であり、開口３ｂは、スライドレバー３が第２位置（図５，６，８（Ａ））にあるときに、半音階用笛室１ｂの吹き穴１ｃと中心を一致させる（吹き穴１ｃを開く）ように配列される半音階用開口である。
【００１４】
閉鎖部３ｃは、スライドレバー３が第１位置にあるときに、第２のスライドレバーの半音階用開口４ｂを塞ぎ、第２位置にあるときに第２のスライドレバーの長音階用開口４ａを塞ぐように配置される。
【００１５】
第２のスライドレバー４は、受け溝１ｄ内に嵌合する長方形平板状の概略全体形状であり、第１のスライドレバー３の後ろに相対摺動自在に重なり、受け溝１ｄに沿って、左方の第１位置（図２，４，７（Ｂ））と、当該第１位置から右方へ笛室１ａ、１ｂの配列の半ピッチ相当距離ずれた第２位置（図５，６，８（Ｂ））の間を横方向に摺動操作可能に受け溝１ｄ内に挿入される。通気用の開口４ａ、４ｂと遮断用の閉鎖部４ｃとは、スライドレバー４の移動により、所定の笛室１ａ、１ｂと吹き口２ａとの間を選択的に開通させるように、横方向に並んで上下２列に配列される。スライドレバー４は、左端側の上縁部が左方へ延出してなる連結部４ｄを具備する。連結部４ｄは、スライドレバー３の連結部３ｇと相互間隔を置いて上下に相対向する。連結部４ｄの下縁部には、概略円弧状の切欠部４ｅが形成される。
【００１６】
開口４ａは、スライドレバー４が第１位置にあるときに、長音階用笛室１ａの吹き穴１ｃと中心を一致させる（吹き穴１ｃを開く）ように配列される長音階用開口であり、開口４ｂは、スライドレバー４が第２位置にあるときに、半音階用笛室１ｂの吹き穴１ｃと中心を一致させる（吹き穴１ｃを開く）ように配列される半音階用開口である。
【００１７】
閉鎖部４ｃは、スライドレバー４が第１位置にあるときに、第１のスライドレバー３の半音階用開口３ｂを塞ぎ、第２位置にあるときに第１のスライドレバーの長音階用開口３ａを塞ぐように配置される。
【００１８】
伝動部材６は、本体１に螺合されるねじ軸１１により本体１の受け溝１ｄ内の左端側、連結部３ｇ、４ｄ間の前面上に回転自在に設けられる。伝動部材６は、両端に、切欠部３ｈ、４ｅに相対回転自在に嵌合する円形嵌合部６ａ、６ｂを有し、所定角度の正逆回転により、両スライドレバー３，４を相互に左右逆方向へ等距離移動させる。伝動部材６は、連結部３ｇ、４ｄ間に位置して受け溝１ｄ内の狭小なスペースにコンパクトに組み込まれる。
【００１９】
ねじりばね７は、一端側が本体１に係止され、他端が第１のスライドレバー３の係止孔３ｆに係止される。これにより、スライドレバー３，４が、伝動部材６を介して、それぞれ第１位置に付勢される。
【００２０】
第１のスライドレバー３を笛室１ａ、１ｂの横方向配列の半ピッチに相当する距離だけ本体１に対して左方へ移動操作すると、伝動部材６を介して、第２のスライドレバー４が右方へ等距離移動し、それにより、２つのスライドレバー３，４が相対的に、笛室１ａ、１ｂの横方向配列の１ピッチに相当する距離移動して、長音階、半音階の切換が行われる。
【符号の説明】
【００２１】
１    本体
１ａ  長音階の笛室
１ｂ  半音階の笛室
１ｃ  吹き穴
１ｄ  受け溝
１ｅ  上下縁
１ｆ  溝底
２    マウスピース
２ａ  吹き口
２ｂ  後面
３    第１のスライドバー
３ａ  長音階用開口
３ｂ  半音階用開口
３ｃ  閉鎖部
３ｄ  長孔
３ｅ  操作部
３ｆ  ばね係止孔
３ｇ  連結部
３ｈ  円弧状の切欠部
４    第２のスライドバー
４ａ  長音階用開口
４ｂ  半音階用開口
４ｃ  閉鎖部
４ｄ  連結部
４ｅ  円弧状の切欠部
５    ねじ
６    伝動部材
６ａ  円形嵌合部
６ｂ  円形嵌合部
７    ばね
８    カバー
９    リード
１０  リードプレート
１１  ねじ軸
【図１】
0003196940.tif 000003
【図２】
0003196940.tif 000004
【図３】
0003196940.tif 000005
【図４】
0003196940.tif 000006
【図５】
0003196940.tif 000007
【図６】
0003196940.tif 000008
【図７】
0003196940.tif 000009